(57)【要約】【課題】格納されている情報を、可搬型記憶媒体に容易にかつ迅速に蓄積することができる情報蓄積装置を提供する。【解決手段】識別情報が記憶された着脱可能な記憶媒体である可搬型記憶媒体１０から、識別情報を読み出す識別情報読出部１０１と、識別情報読出部１０１が読み出した識別情報を用いて、情報の取得先から、１以上の情報を取得する情報取得部１０３と、情報取得部１０３が取得した情報を、可搬型記憶媒体１０に蓄積する情報蓄積部１０５とを備えた。【選択図】図１
2011170537.tif 000002
【特許請求の範囲】
【請求項１】
識別情報が記憶された着脱可能な記憶媒体である可搬型記憶媒体から、前記識別情報を読み出す識別情報読出部と、
前記識別情報読出部が読み出した識別情報を用いて、情報の取得先から、１以上の情報を取得する情報取得部と、
前記情報取得部が取得した情報を、前記可搬型記憶媒体に蓄積する情報蓄積部とを備えた情報蓄積装置。
【請求項２】
前記可搬型記憶媒体には、前記情報の取得先を指定する情報である取得先情報が格納されており、
前記可搬型記憶媒体から前記取得先情報を読み出す取得先情報読出部を更に備え、
前記情報取得部は、前記取得先情報が示す情報の取得先から１以上の情報を取得する請求項１記載の情報蓄積装置。
【請求項３】
前記情報取得部が、前記情報の取得先に格納されている情報のうちの、識別情報に対応付けられた情報のみを取得する請求項１また請求項２記載の情報蓄積装置。
【請求項４】
前記情報取得部が取得した情報を削除する削除部を更に備えた請求項１から請求項３いずれか記載の情報蓄積装置。
【請求項５】
前記可搬型記憶媒体に格納された識別情報は、医療従事者の識別情報であり、
前記情報の取得先は、医療機関の情報サーバ装置であり、
前記情報取得部が取得する１以上の情報は、医療行為に関連する情報である請求項１から請求項３いずれか記載の情報蓄積装置。
【請求項６】
請求項１から請求項５いずれか記載の識別情報が格納されている識別情報格納部と、
前記識別情報格納部に格納されている識別情報を、可搬型記憶媒体に蓄積して、請求項１から請求項５いずれか記載の可搬型記憶媒体を作成する識別情報蓄積部とを備えた識別情報蓄積装置。
【請求項７】
請求項１から請求項５のいずれかに記載の情報蓄積装置に用いられる、前記識別情報が記憶された可搬型記憶媒体。
【請求項８】
識別情報読出部と、情報取得部と、情報蓄積部とを用いて行われる情報蓄積方法であって、
識別情報が記憶された着脱可能な記憶媒体である可搬型記憶媒体から、前記識別情報を読み出す識別情報読出ステップと、
前記識別情報読出ステップで読み出した識別情報を用いて、情報の取得先から、１以上の情報を取得する情報取得ステップと、
前記情報取得ステップが取得した情報を、前記可搬型記憶媒体に蓄積する情報蓄積ステップとを備えた情報蓄積方法。
【請求項９】
コンピュータを、
識別情報が記憶された着脱可能な記憶媒体である可搬型記憶媒体から、前記識別情報を読み出す識別情報読出部と、
前記識別情報読出部が読み出した識別情報を用いて、情報の取得先から、１以上の情報を取得する情報取得部と、
前記情報取得部が取得した情報を、前記可搬型記憶媒体に蓄積する情報蓄積部として機能させるためのプログラム。
【発明の詳細な説明】
【技術分野】
【０００１】
本発明は、情報を可搬型記憶媒体に蓄積する情報蓄積装置等に関するものである。
【背景技術】
【０００２】
従来、ネットワークに接続し、上記ネットワークからソフトウェアをダウンロードして実行する情報処理装置に着脱可能な可搬型記憶媒体に、上記ソフトウェアの識別情報と、上記ソフトウェアが格納されているネットワーク上のロケーション情報と、上記ソフトウェアを使用するユーザに関わる秘匿情報とを格納し、ユーザの手をなんら煩わすことなく、ソフトウェアをサーバ端末からユーザの端末装置に自動的にダウンロードして実行させることができるようにして、容量が少なくて低コストの可搬型記憶媒体を用いて、ソフトウェアの使用権を販売可能なシステムを構築できるようにするものが知られていた（例えば、特許文献１参照）。
【先行技術文献】
【特許文献】
【０００３】
【特許文献１】特開２００２−２１５２５４号公報（第１頁、第１図等）
【発明の概要】
【発明が解決しようとする課題】
【０００４】
近年、例えば医療現場においては、病院内等で取得された様々な情報、具体的には手術映像や電子化されたカルテの情報等の医療行為に関する情報を、取得された病院内のサーバ装置等で集中管理するシステム等が導入されるケースが増えつつある。
【０００５】
しかしながら、従来においては、このようにしてサーバ装置等に蓄積された情報を、医師等のユーザが容易に活用することができなかった。具体的には、サーバ装置等に蓄積された情報を取り出して、医師等のユーザが可搬型の記憶媒体等に蓄積することが容易にかつ迅速に行うことができない、という課題があった。
【０００６】
例えば、医師は、自院のみならず複数の病院で手術等の医療行為を行うことが多い。このため、医師が各病院において行った手術等の医療行為に関する情報、例えば手術映像等は、それぞれの病院内のサーバ装置等に格納されることとなる。このため、医師が一の病院で行った手術等の医療行為に関する情報を、異なる病院内において参照しようとする場合や、様々な病院で行った医療行為に関する情報を一覧表示しようとする場合等には、予め、それぞれの病院のサーバ装置等に蓄積された情報を頻繁に読み出して、可搬型の記憶媒体等に蓄積しておき、この可搬型記憶媒体を例えば携行しておく必要がある。しかし、各病院のサーバ装置から、医師に関連した情報を探し出して読み出し、可搬型記憶媒体に蓄積することは、操作に非常に手間と時間がかかるという問題があった。この結果、医師による医療行為に関する情報の可搬型記憶媒体への蓄積が行われる頻度が低くなり、サーバ装置等に格納された情報の活用が行われなくなってしまうことが多い、という課題があった。
【課題を解決するための手段】
【０００７】
本発明の情報蓄積装置は、識別情報が記憶された着脱可能な記憶媒体である可搬型記憶媒体から、識別情報を読み出す識別情報読出部と、識別情報読出部が読み出した識別情報を用いて、情報の取得先から、１以上の情報を取得する情報取得部と、情報取得部が取得した情報を、可搬型記憶媒体に蓄積する情報蓄積部とを備えた情報蓄積装置である。
【０００８】
かかる構成により、格納された識別情報に対応する情報を、容易に、かつ煩雑な操作なしに迅速に取得することができる。
【０００９】
また、本発明の情報蓄積装置は、前記情報蓄積装置において、可搬型記憶媒体には、情報の取得先を指定する情報である取得先情報が格納されており、可搬型記憶媒体から取得先情報を読み出す取得先情報読出部を更に備え、情報取得部は、取得先情報が示す情報の取得先から１以上の情報を取得する情報蓄積装置である。
【００１０】
かかる構成により、ユーザが情報を取得する際に、情報の取得先を指定しなくても、可搬型記憶媒体に格納された取得先情報が示す取得先から情報を取得することができる。このため、所望の取得先から情報を取得することが可能となる。また、例えば、情報を継続的に取得する場合等においては、情報の取得先を毎回指定する手間を省くことができる。
【００１１】
また、本発明の情報蓄積装置は、前記情報蓄積装置において、情報取得部が、情報の取得先に格納されている情報のうちの、識別情報に対応付けられた情報のみを取得する情報蓄積装置である。
【００１２】
かかる構成により、識別情報に対応した情報だけを、容易にかつ迅速に取得することができる。例えば識別情報がユーザの識別情報である場合等には、ユーザが必要な情報や、ユーザに関連のある情報だけを容易にかつ迅速に取得することができる。また、識別情報に対応しない情報は取得されないため、情報のセキュリティを保つことができる。
【００１３】
また、本発明の情報蓄積装置は、前記情報蓄積装置において、情報取得部が取得した情報を削除する削除部を更に備えた情報蓄積装置である。
【００１４】
かかる構成により、取得済の情報を再取得することを防ぐことができる。また、取得済の情報のセキュリティを保つことができる。
【００１５】
また、本発明の情報蓄積装置は、前記情報蓄積装置において、可搬型記憶媒体に格納された識別情報は、医療従事者の識別情報であり、情報の取得先は、医療機関の情報サーバ装置であり、情報取得部が取得する１以上の情報は、医療行為に関連する情報である情報蓄積装置である。
【００１６】
かかる構成により、例えば、医療従事者自身が、自分の識別情報が格納された可搬型記憶媒体を用いて、一の医療機関で行った医療行為に関する情報を、容易に取り出して持ち運ぶことが可能となる。そして、他の医療機関等で、可搬型記憶媒体に取り出した医療行為に関する情報を参照することで、医療行為の情報を容易にかつ有効に活用することが可能となり、医療行為の質を向上させることが可能となる。また、情報を取り出す操作を行う管理者等が不要であるため、医療機関でも容易に運用が可能となる。
【００１７】
また、本発明の識別情報蓄積装置は、前記識別情報が格納されている識別情報格納部と、識別情報格納部に格納されている識別情報を、可搬型記憶媒体に蓄積して、前記可搬型記憶媒体を作成する識別情報蓄積部とを備えた識別情報蓄積装置である。
【００１８】
かかる構成により、識別情報を格納した可搬型記憶媒体を容易に作成することができる。
【００１９】
また、本発明の可搬型記憶媒体は、前記情報蓄積装置に用いられる、識別情報が記憶された可搬型記憶媒体である。
【００２０】
かかる構成により、格納されている情報を、可搬型記憶媒体に容易にかつ迅速に蓄積することができる。
【発明の効果】
【００２１】
本発明による情報蓄積装置等によれば、格納されている情報を、可搬型記憶媒体に容易にかつ迅速に蓄積することができる。
【図面の簡単な説明】
【００２２】
【図１】本発明の本実施の形態にかかる情報蓄積システムのブロック図
【図２】同実施の形態にかかる情報蓄積装置の動作を説明するためのフローチャート
【図３】同実施の形態にかかる情報サーバ装置の動作を説明するためのフローチャート
【図４】同実施の形態にかかる識別情報蓄積装置の動作を説明するためのフローチャート
【図５】同実施の形態にかかる情報蓄積システムの概念図
【図６】同実施の形態にかかる情報蓄積システムの動作を説明するための、可搬型記憶媒体に蓄積された識別情報と取得先情報とを示す図
【図７】同実施の形態にかかる情報蓄積システムの動作を説明するための、取得対象情報管理表を示す図
【図８】同実施の形態にかかる情報蓄積システムの動作を説明するための、可搬型記憶媒体に蓄積された取得対象情報を管理する取得情報管理表を示す図
【図９】同実施の形態にかかる情報蓄積装置の変形例を示すブロック図
【図１０】同実施の形態にかかる情報蓄積システムの変形例を説明するための、取得対象情報管理表の変形例を示す図
【図１１】同実施の形態におけるコンピュータシステムの外観の一例を示す図
【図１２】同実施の形態におけるコンピュータシステムの構成の一例を示す図
【発明を実施するための形態】
【００２３】
以下、情報蓄積装置等の実施形態について図面を参照して説明する。なお、実施の形態において同じ符号を付した構成要素は同様の動作を行うので、再度の説明を省略する場合がある。
【００２４】
（実施の形態）
図１は、本実施の形態における情報蓄積システム１０００のブロック図である。
情報蓄積システム１０００は、可搬型記憶媒体１０、１以上の情報蓄積装置１、１以上の情報サーバ装置２、および１以上の識別情報蓄積装置３を備えている。なお、本実施の形態においては、説明の便宜上、情報蓄積装置１、情報サーバ装置２、および識別情報蓄積装置３がそれぞれ一つの場合を例示しているが、これらはそれぞれ複数であっても良い。
【００２５】
情報蓄積装置１は、識別情報読出部１０１、取得先情報読出部１０２、情報取得部１０３、削除部１０４、および情報蓄積部１０５を備えている。
【００２６】
情報サーバ装置２は、受信部２０１、情報格納部２０２、情報読出部２０３、および送信部２０４を備えている。
【００２７】
識別情報蓄積装置３は、識別情報格納部３０１、および識別情報蓄積部３０２を備えている。
【００２８】
可搬型記憶媒体１０は、可搬性を有する着脱可能な記憶媒体である。可搬型記憶媒体１０は、情報が記憶可能な記憶媒体である。具体的には、後述する情報蓄積装置１による情報の書き込みが可能な記憶媒体である。可搬型記憶媒体１０には、識別情報が格納され得る。識別情報は、例えば、ユーザ識別情報である。ユーザ識別情報は、ユーザが識別可能な情報や、ユーザと対応付けられた情報であれば良い。ユーザ識別情報は、例えば、ユーザ名であっても良いし、ユーザ固有の文字列等の情報であっても良いし、ユーザの社員ＩＤや、職員ＩＤや、医師ＩＤ等であっても良い。また、ユーザ識別情報は、ユーザの所属する企業や病院等の識別情報等を含んでいてもよい。例えば、ユーザ識別情報は、医師等の医療従事者の識別情報である。医師等の医療従事者の識別情報は、医師名等であっても良い。また、医師等の医療従事者の識別情報は、医師等の所属する医療機関の識別情報を含んでもよい。ここでのユーザは、例えば、可搬型記憶媒体を所持する、あるいは携行するユーザである。識別情報は、ユーザ識別情報と対応付けられた情報であっても良い。例えば、識別情報は、ユーザ、あるいはユーザ識別情報と対応付けられた可搬型記憶媒体１０の識別情報、例えば製造番号等であっても良い。つまり、可搬型記憶媒体１０には、この可搬型記憶媒体１０の保有者のユーザの識別情報が格納されていてもよい。このようにすることで、後述するように、可搬型記憶媒体の保有者（例えば医師等の医療従事者）が、保有者自身の識別情報と対応付けられた情報（例えば、医師等の医療行為に関連した情報）を可搬型記憶媒体１０に取り出すことが可能となる。
【００２９】
また、可搬型記憶媒体１０には、情報の取得先を指定する情報である取得先情報が格納されていてもよい。取得先情報は、例えば、情報蓄積装置１内の、可搬型記憶媒体１０に蓄積される情報が格納されている図示しないハードディスクや光ディスクやメモリ等の記憶媒体を指定可能な情報である。また、記憶媒体内の情報が格納されているディレクトリやフォルダ等のパスを指定する情報を含んでいてもよい。取得先情報は、例えば、一の情報蓄積装置１内の、取得対象となる情報が格納された記憶媒体（図示せず）のドライブ名やディスク名や、情報が格納されているディレクトリやフォルダのパス等を指定する情報である。また、取得先情報は、例えば、可搬型記憶媒体１０に蓄積される情報が格納されているサーバ装置等を指定可能な情報である。具体的には、取得先情報は、情報が格納されているサーバ装置のＵＲＬやＩＰアドレスやＭＡＣアドレス等のアドレス情報や、サーバ装置のＩＤ等である。上記と同様に、この場合も、取得先情報は、サーバ装置内の情報が格納されているディレクトリやパス等を指定する情報を含んでいてもよい。情報の取得先とは、例えば、情報サーバ装置２である。情報サーバ装置２は、例えば、一の医療機関の情報サーバ装置である。本実施の形態においては、特に、情報蓄積装置１とネットワーク等で接続された、１以上の情報サーバ装置２を指定可能な情報である場合を例に挙げて説明する。可搬型記憶媒体１０は、例えばメモリカードや、光ディスクや、磁気ディスク、接続端子を備えたフラッシュメモリや、ポータブル型のハードディスク等である。可搬型記憶媒体１０は、不揮発性の記録媒体が好適であるが、揮発性の記録媒体でも実現可能である。
【００３０】
情報蓄積装置１は、可搬型記憶媒体１０に情報を蓄積するための装置である。本実施の形態においては、情報蓄積装置１が、１以上の情報サーバ装置２に格納されている情報を読み出して、接続された（マウントされた）可搬型記憶媒体１０に蓄積するものである場合を例として示している。但し、情報蓄積装置１が、内部に情報が格納されている格納部（図示せず）を備えており、この格納部に格納されている情報を読み出して、可搬型記憶媒体１０に蓄積するものであっても良い。本実施の形態においては、１以上の情報蓄積装置１と１以上の情報サーバ装置２とが、ネットワークや通信回線等を介して、情報の通信が可能となるように接続されている。ネットワークは、無線ネットワークであっても有線ネットワークであっても良い。ネットワークは、どのようなネットワークであっても良く、例えば、インターネットや、ＬＡＮ等である。情報蓄積装置１は、例えば、可搬型記憶媒体を接続するための接続端子等のインターフェース（図示せず）を有しており、この接続端子等のインターフェースを介して、可搬型記憶媒体１０が、情報蓄積装置１と接続される。ここでの接続は、いわゆるマウントと考えても良い。ここでの接続は、情報の入出力が可能な状態とすることを意味すると考えて良い。
【００３１】
識別情報読出部１０１は、識別情報が記憶された着脱可能な記憶媒体である可搬型記憶媒体１０から、識別情報を読み出す。具体的には、識別情報読出部１０１は、着脱可能な記憶媒体に識別情報が記憶されているか否かを判断し、記憶されている場合に、識別情報を読み出す。ここで述べる識別情報は、例えば、上述したようなユーザ識別情報である。識別情報読出部１０１は、可搬型記憶媒体１０が情報蓄積装置１に接続された場合に、識別情報を読み出すことが好ましい。ただし、識別情報読出部１０１は、どのようなトリガーやタイミングで識別情報を読み出してもよく、例えば、図示しない受付部等を介してユーザから識別情報を読み出す指示を受け付けた場合に、識別情報を読み出すようにしても良い。
【００３２】
識別情報読出部１０１は、通常、ＭＰＵやメモリ等から実現され得る。識別情報読出部１０１の処理手順は、通常、ソフトウェアで実現され、当該ソフトウェアはＲＯＭ等の記録媒体に記録されている。但し、ハードウェア（専用回路）で実現しても良い。
【００３３】
取得先情報読出部１０２は、可搬型記憶媒体１０から取得先情報を読み出す。取得先情報は、例えば、上述したような情報の取得先となる情報サーバ装置２のアドレス等を指定する情報である。取得先情報読出部１０２は、例えば、可搬型記憶媒体１０が情報蓄積装置１に接続された場合に、その直後等に、取得先情報を読み出すことが好ましい。ただし、取得先情報読出部１０２は、どのようなトリガーやタイミングで取得先情報を読み出してもよく、例えば、図示しない受付部等を介して、ユーザから入力された取得先情報を読み出す指示を受け付けた場合に、この指示に応じて、取得先情報を読み出すようにしても良い。あるいは、識別情報読出部１０１が識別情報を読み出すことをトリガーとして、読み出しの直後等に取得先情報を読み出しても良い。なお、可搬型記憶媒体１０に取得先情報がない場合には取得先情報を読み出さなくても良い。また、取得先情報を可搬型記憶媒体１０から読み出す必要がない場合（例えば取得先情報を用いない場合や、取得先の情報を、他の方法で取得する場合）、取得先情報読出部１０２は省略可能である。
【００３４】
取得先情報読出部１０２は、通常、ＭＰＵやメモリ等から実現され得る。取得先情報読出部１０２の処理手順は、通常、ソフトウェアで実現され、当該ソフトウェアはＲＯＭ等の記録媒体に記録されている。但し、ハードウェア（専用回路）で実現しても良い。
【００３５】
情報取得部１０３は、識別情報読出部１０１が読み出した識別情報を用いて、情報の取得先から、１以上の情報を取得する。ここでは、取得される情報を便宜上、取得対象情報と呼ぶ。取得対象情報は、どのような情報であっても良い。取得対象情報は、例えば、テキスト情報や音声情報や映像情報であっても良い。また、特定のアプリケーションソフトウェア等を用いて作成された情報であっても良い。取得対象情報の内容やファイル形式等は問わない。取得対象情報は、例えば、医療行為に関する情報である。具体的にはカルテや医療行為を記録した情報である。医療行為を記録した情報は、手術映像や、手術音声、医療で使用された機器や医薬品等を示す情報である。例えば、取得対象情報は、医師による手術中に取得された映像情報である手術映像である。手術映像は動画でも静止画でも良い。また、電子カルテ等の情報であっても良い。なお、情報取得部１０３が識別情報を用いて取得する取得対象情報は、例えば、識別情報に対応した医療従事者、例えば医師が行った医療行為に関する情報の一以上である。取得対象情報は、例えば、一の医師が保有する可搬型記憶媒体１０から識別情報読出部１０１が読み出した当該一の医師の識別情報を用いて取得される、対応した医師が行った手術を撮影した手術映像である。ただし、この場合、予め、情報の取得先に、一の医師の識別情報と、この一の医師が行った手術の手術映像等とが対応付けて格納しておく必要がある。
【００３６】
情報の取得先は、例えば、情報蓄積装置１内に設けられた、情報が蓄積された記憶媒体等の格納部、あるいは、情報蓄積装置１とネットワーク等で接続された情報サーバ装置２である。情報の取得先は、具体的には指定された取得先である。情報の取得先は、予めデフォルト等で指定されていてもよい。また、可搬型記憶媒体１０から取得先情報読出部１０２が読み出した取得先情報により指定される取得先から情報を取得してもよい。あるいは、予め取得先情報と識別情報とを対応付けた情報を図示しない記憶媒体等に格納しておくようにし、情報取得部１０３は、識別情報読出部１０１が取得した識別情報と対応付けられた取得先情報を、図示しない格納部等から検出し、この取得先情報が示す取得先から情報を取得しても良いし、図示しない受付部等を介してユーザから入力された取得先から情報を取得しても良い。例えば、情報取得部１０３は、情報の取得先、具体的には、取得先情報が示すアドレスや、サーバ名と対応付けられた情報サーバ装置２から、当該情報サーバ装置２内に格納されている１以上の情報を取得してもよい。また、情報取得部１０３は、情報蓄積装置１内に設けられた取得先情報が示す図示しない格納部に格納された情報を取得する。
【００３７】
情報取得部１０３は、識別情報読出部１０１が読み出した識別情報を、例えば、以下のように用いて、取得対象情報を取得する。即ち、情報取得部１０３は、識別情報と対応付けて情報蓄積装置１内の格納部（図示せず）に格納された取得対象情報や、識別情報と対応付けて情報サーバ装置２に格納された取得対象情報を取得する。識別情報と対応付けて格納された取得対象情報とは、例えば、対応付けられた識別情報と情報とを１のレコードの複数の項目の値として管理されている情報である。あるいは、識別情報が埋め込まれている、もしくは付加されている取得対象情報である。情報取得部１０３は、例えば、識別情報読出部が取得した識別情報を検索キーとして用いて、当該識別情報と一致する識別情報と対応付けられた取得対象情報を取得する。ここでの一致は、部分一致であっても完全一致であっても良い。
【００３８】
また、情報取得部１０３は、識別情報読出部１０１が読み出した識別情報を、取得対象情報を取得するための認証用の情報として用いて、取得対象情報を取得しても良い。例えば、予め、取得対象情報を取得可能な１以上のユーザの識別情報を、図示しない格納部等に蓄積しておき、情報取得部１０３は、識別情報読出部１０１が読み出した識別情報と一致する識別情報が、予め蓄積された識別情報内にあるか否かを判断し、ある場合にだけ、取得対象情報の取得を許可するようにしても良い。この場合、情報取得部１０３が取得する情報は、識別情報と対応付けられた情報であってもなくても良い。
【００３９】
例えば、取得対象情報の取得先が、情報蓄積装置１内に設けられた格納部（図示せず）である場合、情報取得部１０３は、この格納部から取得対象情報を読み出すことで取得対象情報を取得する。また、情報取得部１０３は、この格納部から識別情報と対応付けられた取得対象情報を読み出すことで取得対象情報を取得してもよい。また、取得対象情報の取得先が、情報サーバ装置２である場合のように、情報取得部１０３が直接取得対象情報を読み出せない場合には、情報取得部１０３は、例えば、情報サーバ装置２に対して、取得対象情報の送信を要求する指示（情報）を送信する。あるいは、情報サーバ装置２に対して取得対象情報の送信を要求する指示と、識別情報読出部１０１が読み出した識別情報とを対応付けて送信する。そして、この送信した指示、あるいは指示および識別情報に応じて、情報サーバ装置２が送信する取得対象情報を、情報取得部１０３が受信することで取得対象情報を取得する。
【００４０】
情報取得部１０３は、取得対象情報の取得先から、全ての取得対処得情報を取得しても良いし、一部の取得対象情報だけを取得してもよい。例えば上述したように識別情報読出部１０１が読み出した識別情報に対応した取得対象情報だけを読み出しても良い。また、予め指定されたデータタイプやファイル形式の取得対象情報だけを読み出しても良い。また、情報取得部１０３は、予め指定された条件に合致する取得対象情報だけを取得するようにしても良い。例えば、蓄積された日時や作成日等が指定された期間内であるものだけを取得してもよいし、予めヘッダやコメントやタイトルの情報を用いて分類されている取得対象情報の中から、予め指定された分類に分けられた情報のみを取得するようにしてもよい。例えば、手術映像に分類された情報のみを取得するようにしてもよい。このような条件等の指定はデフォルトで指定されていても良いし、ユーザ等から図示しない受付部等を介して受け付けてもよい。なお、取得対象情報を要求する情報を情報サーバ装置２に送信する場合、このような条件を指定する情報を含む取得対象情報を要求する情報を送信するようにすればよい。
【００４１】
また、情報取得部１０３は、過去に取得した情報以外の取得対象情報だけを取得してもよい。例えば、一度取得した取得対象情報には、取得済であることを示すフラグ等の情報を付与しておく、もしくは付与するようにし、取得済であることを示す情報が付与された取得対象情報については、それ以降は情報を取得しないようにしてもよい。なお、取得対象情報の取得先が情報サーバ装置２等である場合のように、取得対象情報に対して、情報取得部１０３が直接、取得済であることを示す情報等を付与できない場合等には、取得対象情報の取得先である情報サーバ装置２等に、取得対象情報を要求する情報等を送信する際に、取得済の取得対象情報には、取得済であることを示すフラグ等の情報を付与し、取得対象情報として、取得済であることを示すフラグ等の情報が付与されていない情報のみを取得して送信する指示を含む取得対象情報を要求する情報等を送信するようにすればよい。あるいは、このような指示に対応する設定が、デフォルトで、情報サーバ装置２等に設定されているようにしても良い。
【００４２】
情報取得部１０３は、通常、ＭＰＵやメモリ等から実現され得る。情報取得部１０３の処理手順は、通常、ソフトウェアで実現され、当該ソフトウェアはＲＯＭ等の記録媒体に記録されている。但し、ハードウェア（専用回路）で実現しても良い。
【００４３】
削除部１０４は、情報取得部１０３が取得した情報（具体的には取得対象情報）を削除する。例えば、取得対象情報の取得先が、情報蓄積装置１内の図示しない格納部等である場合、削除部１０４は、情報取得部１０３が取得対象情報を取得した後、取得した取得対象情報を削除する。また、取得対象情報の取得先が、情報サーバ装置２のように、削除部１０４が、格納されている取得対処情報を直接処理できない場合には、例えば、取得対象情報を要求する情報の送信時やその直後に、情報取得部１０３が取得した情報、即ち送信された情報、あるいは送信のために読み出し済の情報を削除する指示を取得先、例えば情報サーバ装置２に送信する。ここでの削除は、取得対象情報を削除することであっても良いし、情報に他のデータの上書きすることであっても良い。また、削除したことを示すフラグ等の情報を付加することであっても良い。
【００４４】
削除部１０４は、通常、ＭＰＵやメモリ等から実現され得る。削除部１０４の処理手順は、通常、ソフトウェアで実現され、当該ソフトウェアはＲＯＭ等の記録媒体に記録されている。但し、ハードウェア（専用回路）で実現しても良い。
【００４５】
情報蓄積部１０５は、情報取得部１０３が取得した情報を、可搬型記憶媒体１０に蓄積する。情報蓄積部１０５は、通常、ＭＰＵやメモリ等から実現され得る。情報蓄積部１０５の処理手順は、通常、ソフトウェアで実現され、当該ソフトウェアはＲＯＭ等の記録媒体に記録されている。但し、ハードウェア（専用回路）で実現しても良い。
【００４６】
情報サーバ装置２は、取得対象情報が格納されているサーバ装置である。情報サーバ装置２は、例えば、取得先情報で指定されるサーバ装置である。情報サーバ装置２は、情報蓄積装置１から送信される、取得対象情報の送信を要求する情報に応じた取得対象情報を情報サーバ装置２に送信する。情報サーバ装置２は、例えば、一の医療機関で管理されるサーバ装置である。一の医療機関が保有するサーバ装置と考えても良い。医療機関とは、例えば、病院や、医院や、診療所等である。
【００４７】
受信部２０１は、情報蓄積装置１から送信される、情報（具体的には取得対象情報）の送信を要求する指示を受け付ける。また、情報蓄積装置１から、情報の送信を要求する情報と識別情報とが対応付けられて送信される場合、受信部２０１は、この情報の送信を要求する指示と識別情報とを受信する。また、受信部２０１は、情報蓄積装置１から送信される削除指示を受信するようにしてもよい。受信部２０１は、通常、無線または有線の通信手段で実現されるが、放送を受信する手段で実現されても良い。
【００４８】
情報格納部２０２には、情報が格納される。具体的には、情報格納部２０２には、情報取得部１０３が取得対象とする情報である上述した取得対象情報が１以上格納される。また、情報格納部２０２には、識別情報と対応付けられた取得対象情報が格納されてもよい。取得対象情報と識別情報とが対応付けられている、ということは、例えば、取得対象情報と識別情報とが、対応付けを管理する管理情報の、１のレコードに含まれていることである。また、取得対象情報に対応する識別情報が埋め込まれていてもよい。また、取得対象情報の一部に識別情報が含まれていてもよい。ここで述べる識別情報は、例えば上述した可搬型記憶媒体１０に格納され得る識別情報である。この識別情報は、例えば、当該識別情報と対応付けられた取得対象情報に関連があるユーザの識別情報である。関連があるユーザとは、例えば、取得対象情報の作成や変更等を行ったユーザや、取得対象情報の作成や変更等を行ったユーザの上司や、取得対象情報に対するアクセス権があるユーザ等である。例えば、情報格納部２０２に格納される取得対象情報を上述したような手術映像とし、取得対象情報に対応付けられた識別情報を、各取得対象情報である手術映像が示す手術を執刀した医師や、手術に参加した医師の識別情報であっても良い。例えば、情報格納部２０２には、医師等の医療従事者が関連した医療行為、例えば治療や手術等に関する情報が、この医師等の医療従事者の識別情報と対応付けられて格納されていても良い。また、情報格納部２０２には、情報の読み出しが行われたか否か等を示す情報と対応付けられた取得対象情報が格納されてもよい。また、情報格納部２０２には、作成日や、蓄積日等の、取得対象情報の指定に対応した情報が対応付けられた取得対象情報が格納されても良い。情報格納部２０２に取得対象情報が蓄積される過程は問わない。例えば、通信回線等を介して病院の手術室等で撮影された情報が情報格納部２０２に蓄積されても良い。また、記録媒体を介して入力された情報が、情報格納部２０２で格納されてもよい。また、医師等により入力されたカルテ等の情報が、情報格納部２０２に格納されても良い。情報格納部２０２は、不揮発性の記録媒体が好適であるが、揮発性の記録媒体でも実現可能である。
【００４９】
情報読出部２０３は、受信部２０１が受信した情報（具体的には取得対象情報）の送信を要求する指示に応じて、情報格納部２０２に格納されている取得対象情報を読み出す。また、受信部２０１が受信した情報（具体的には取得対象情報）の送信を要求する指示と識別情報とに応じて、情報格納部２０２に格納されている取得対象情報を読み出すようにしてもよい。識別情報に応じて読み出すとは、例えば、受信部２０１が受信した情報の送信を要求する指示と対応付けられた識別情報を検索キーとして、当該識別情報と一致する識別情報と対応付けられた取得対象情報を検出して読み出すことである。また、図示しない記憶媒体等の格納部に予め蓄積された認証用の１以上の識別情報の中に、受信部２０１が受信した送信を要求する指示と対応付けられた識別情報と一致するものがあるか否かを判断し、一致する場合に、情報格納部２０２に格納されている取得対象情報を読み出すこととしても良い。情報読出部２０３は、情報格納部２０２に格納されている取得対象情報の全てを取得しても良いし、その一部だけを取得してもよい。
【００５０】
また、情報読出部２０３は、予め指定されたデータタイプやファイル形式の取得対象情報だけを読み出しても良い。また、情報読出部２０３は、予め指定された条件に合致する取得対象情報だけを取得するようにしても良い。例えば、蓄積された日時や作成日等が指定された期間内であるものだけを取得してもよいし、予めヘッダやコメントやタイトルの情報を用いて分類されている取得対象情報の中から、予め指定された分類に分けられた情報のみを取得するようにしてもよい。例えば、情報読出部２０３は、手術映像に分類された情報のみを取得するようにしてもよい。このような条件等の指定はデフォルトで指定されていても良い。また、例えば、受信部２０１が受信した情報の送信を要求する指示に含まれる条件等を指定する情報により指定されてもよい。
【００５１】
また、情報読出部２０３は、過去に取得した情報以外の取得対象情報だけを取得してもよい。例えば、一度取得した取得対象情報には、取得済であることを示すフラグ等の情報を付与しておく、もしくは付与するようにし、取得済であることを示す情報が付与された取得対象情報については、それ以降は情報を取得しないようにしてもよい。このような処理を行うか否かは、デフォルトで指定されていても良いし、取得対象情報を要求する情報等に含まれる読み出し済の取得対象情報には、取得済であることを示すフラグ等の情報を付与し、取得対象情報としては、取得済であることを示すフラグ等の情報が付与されていない情報のみを取得して送信する指示に応じて決定するようにしても良い。
【００５２】
また、情報読出部２０３は、受信部２０１が削除指示を受け付けた場合、読み出した情報を情報格納部２０２から削除する。ここでの削除は、上述した削除と同様である。
【００５３】
情報読出部２０３は、通常、ＭＰＵやメモリ等から実現され得る。情報読出部２０３の処理手順は、通常、ソフトウェアで実現され、当該ソフトウェアはＲＯＭ等の記録媒体に記録されている。但し、ハードウェア（専用回路）で実現しても良い。
【００５４】
送信部２０４は、情報読出部２０３が読み出した情報（具体的には取得対象情報）を情報蓄積装置１に送信する。送信部２０４は、通常、無線または有線の通信手段で実現されるが、放送手段で実現されても良い。
【００５５】
識別情報蓄積装置３は、可搬型記憶媒体１０に、識別情報を蓄積するための装置である。識別情報蓄積装置３は、ユーザ専用の装置であることが好ましい。なお、ここでは説明を省略しているが、識別情報に対応したユーザのみが識別情報を蓄積できるように、識別情報蓄積装置３は、起動時等に、例えば蓄積する識別情報やその他の認証用識別情報やパスワード等を用いた認証処理を行う認証処理部等（図示せず）を備えていることが好ましい。認証処理については、公知技術であるのでここでは説明を省略する。識別情報蓄積装置３は、例えば、可搬型記憶媒体を接続するための接続端子等のインターフェース（図示せず）を有しており、この接続端子等のインターフェースを介して、可搬型記憶媒体１０が、情報蓄積装置１と接続される。ここでの接続は、いわゆるマウントと考えても良い。ここでの接続は、情報の入出力が可能な状態とすることを意味すると考えて良い。
【００５６】
識別情報格納部３０１には、１以上の識別情報が格納される。識別情報は、例えば、上述したような可搬型記憶媒体１０に格納される識別情報である。識別情報格納部３０１に格納される識別情報は、１のユーザについての１の識別情報であることが好ましいが、複数の識別情報が格納されていても良い。また、識別情報格納部３０１には識別情報と対応付けられて取得先情報が格納されていてもよい。識別情報格納部３０１に識別情報が記憶される過程は問わない。識別情報格納部３０１は、不揮発性の記録媒体が好適であるが、揮発性の記録媒体でも実現可能である。
【００５７】
識別情報蓄積部３０２は、識別情報格納部３０１に格納されている識別情報を可搬型記憶媒体１０に蓄積して、可搬型記憶媒体１０を作成する。具体的には、識別情報蓄積部３０２は、可搬型記憶媒体１０が識別情報蓄積装置３に接続された場合に、から識別情報を読み出して、可搬型記憶媒体１０に蓄積することが好ましい。ただし、識別情報蓄積部３０２は、どのようなトリガーやタイミングで識別情報を読み出して蓄積してもよく、例えば、図示しない受付部等を介してユーザから識別情報を読み出す指示を受け付けた場合に、識別情報を読み出すようにしても良い。
【００５８】
また、識別情報蓄積部３０２は、可搬型記憶媒体１０に識別情報が格納されていない場合にのみ、識別情報を読み出して蓄積することが好ましい。あるいは、識別情報格納部３０１に格納されている識別情報と一致する識別情報が格納されていない場合にのみ、識別情報格納部３０１に格納されている識別情報を蓄積するようにしてもよい。また、識別情報蓄積部３０２は、識別情報格納部３０１に複数の識別情報が格納されている場合、全ての識別情報を格納するようにしても良いし、一部の識別情報だけを蓄積するようにしてもよい。例えば、ユーザにより指定された識別情報だけを蓄積するようにしても良い。好ましくは、上述した図示しない認証処理部等により認証が成功したユーザに対応する識別情報だけを蓄積する。認証が成功したユーザに対応する識別情報がない場合は蓄積を行わないようにすればよい。
【００５９】
なお、識別情報蓄積部３０２は、識別情報を蓄積する際に、識別情報と対応付けて識別情報格納部３０１に格納されている取得先情報を読み出して、可搬型記憶媒体１０に蓄積しても良い。
【００６０】
識別情報蓄積部３０２は、通常、ＭＰＵやメモリ等から実現され得る。識別情報蓄積部３０２の処理手順は、通常、ソフトウェアで実現され、当該ソフトウェアはＲＯＭ等の記録媒体に記録されている。但し、ハードウェア（専用回路）で実現しても良い。
【００６１】
図２は、本発明の実施の形態にかかる情報蓄積装置１の動作を説明するためのフローチャートである。以下、情報蓄積装置１の動作を図２のフローチャートを用いて説明する。なお、ここでは、情報蓄積装置１が、他のサーバ装置、例えば、情報サーバ装置２から情報を取得する場合を例に挙げて説明する。
【００６２】
（ステップＳ２０１）情報蓄積装置１は、情報を蓄積する指示を受け付けたか否かを判断する。受け付けたか否かはどのように判断してもよい。指示を受け付けたとは、いわゆるトリガーやイベントを検出したことと考えても良い。例えば、情報蓄積装置１が、可搬型記憶媒体１０の情報蓄積装置１に対する接続、例えば、マウントを検出した場合に、蓄積する指示を受け付けたと判断しても良い。また、ユーザ等から図示しない受付部等を介して情報を蓄積する指示を受け付けた場合に、蓄積する指示を受け付けたと判断しても良い。受け付けた場合はステップＳ２０２に進み、受け付けていない場合はステップＳ２０１に戻る。
【００６３】
（ステップＳ２０２）識別情報読出部１０１は、可搬型記憶媒体１０に識別情報が蓄積されているか否かを判断する。蓄積されている場合はステップＳ２０３に進み、蓄積されていない場合はステップＳ２０２に戻る。
【００６４】
（ステップＳ２０３）識別情報読出部１０１は、可搬型記憶媒体１０から識別情報を読み出す。読み出した識別情報は、例えば、図示しないメモリ等の記憶媒体等に一時記憶する。
【００６５】
（ステップＳ２０４）取得先情報読出部１０２は、可搬型記憶媒体１０から取得先情報を読み出す。読み出した識別情報は、例えば、ステップＳ２０３において読み出した識別情報と対応付けて、図示しないメモリ等の記憶媒体等に一時記憶する。
【００６６】
（ステップＳ２０５）情報取得部１０３は、ステップＳ２０４において取得した取得先情報が示す取得先、例えば、情報サーバ装置２等にステップＳ２０３において取得した識別情報に対応した情報（取得対象情報）の送信を要求する情報を送信する。要求する情報は、例えば、識別情報を含む情報である。要求する情報は識別情報のみで構成されていても良い。
【００６７】
（ステップＳ２０６）削除部１０４は、ステップＳ２０４において取得した取得先情報が示す取得先に、ステップＳ２０３において取得した識別情報に対応した情報を、送信後あるいは送信のための読み出し時や読み出し後に、削除する指示を送信する。なお、情報取得部１０３と削除部１０４とを例えば１の処理部等で実現するようにし、取得対象情報を要求する情報と、当該取得対象情報を送信後等に削除する指示とを対応付けた情報を送信するようにしても良い。
【００６８】
（ステップＳ２０７）情報取得部１０３は、ステップＳ２０３において取得した識別情報に対応した情報（取得対象情報）を、ステップＳ２０４において取得した取得先情報が示す取得先から受信したか否かを判断する。受信した場合はステップＳ２０８に進み、受信していない場合はステップＳ２０７に戻る。
【００６９】
（ステップＳ２０８）情報蓄積部１０５は、ステップＳ２０７において、受信した情報（取得対象情報）を可搬型記憶媒体１０に蓄積する。そして、ステップＳ２０１に戻る。
【００７０】
なお、図２のフローチャートにおいて、削除部１０４等を省略して、送信後の情報の削除等を行わない場合、ステップＳ２０５に示した、識別情報に対応した送信を要求する情報は、例えば、送信済ではない情報だけの送信を要求する情報であっても良い。また、この場合、送信済の情報には、送信済であることを示すフラグ等の情報を付与することを、要求の送信先、例えば、情報サーバ装置２等に送信するようにしても良い。
【００７１】
なお、図２のフローチャートにおいて、電源オフや処理終了の割り込みにより処理は終了する。
【００７２】
図３は、本発明の実施の形態にかかる情報サーバ装置２の動作を説明するためのフローチャートである。以下、情報サーバ装置２の動作を図３のフローチャートを用いて説明する。
【００７３】
（ステップＳ３０１）受信部２０１は、可搬型記憶媒体１０に格納されていた識別情報に対応した情報の送信を要求する指示と、削除指示とを受け付けたか否かを判断する。受け付けた場合、ステップＳ３０２に進み、受け付けていない場合、ステップＳ３０１に戻る。
【００７４】
（ステップＳ３０２）情報読出部２０３は、ステップＳ３０１において受け付けた識別情報に対応した情報の送信を要求する指示により指定される情報を、情報格納部２０２から読み出す。読み出す情報は、例えば、識別情報に対応した情報の送信を要求する指示に含まれる、識別情報と対応付けて、情報格納部２０２に格納されている情報である。読み出した情報は、図示しないメモリ等の記憶媒体に一時記憶される。
【００７５】
（ステップＳ３０３）送信部２０４は、ステップＳ３０２において読み出した情報を、識別情報を世窮する指示の送信元となる情報蓄積装置１に送信する。
【００７６】
（ステップＳ３０４）情報読出部２０３は、ステップＳ３０２において読み出した情報を、情報格納部２０２から削除する。そして、ステップＳ３０１に戻る。
【００７７】
なお、図３のフローチャートにおいて、電源オフや処理終了の割り込みにより処理は終了する。
【００７８】
図４は、本発明の実施の形態にかかる識別情報蓄積装置３の動作を説明するためのフローチャートである。以下、識別情報蓄積装置３の動作を図４のフローチャートを用いて説明する。
【００７９】
（ステップＳ４０１）識別情報蓄積装置３は、可搬型記憶媒体１０に識別情報を蓄積する指示を受け付けたか否かを判断する。受け付けたか否かはどのように判断してもよい。指示を受け付けたとは、いわゆるトリガーやイベントを検出したことと考えても良い。例えば、識別情報蓄積装置３が、可搬型記憶媒体１０の識別情報蓄積装置３に対する接続を検出した場合に、蓄積する指示を受け付けたと判断しても良い。また、ユーザ等から情報を蓄積する指示を図示しない受付部等を介して受け付けた場合に、蓄積する指示を受け付けたと判断しても良い。受け付けた場合はステップＳ４０２に進み、受け付けていない場合はステップＳ４０１に戻る。
【００８０】
（ステップＳ４０２）識別情報蓄積部３０２は、可搬型記憶媒体１０に識別情報が蓄積されているか否かを判断する。蓄積されている場合、ステップＳ４０１に戻り、蓄積されていない場合、ステップＳ４０３に進む。
【００８１】
（ステップＳ４０３）識別情報蓄積部３０２は、識別情報格納部３０１に格納されている識別情報を読み出す。読み出した識別情報は、例えば、図示しないメモリ等の記憶媒体等に一時記憶しても良い。
【００８２】
（ステップＳ４０４）識別情報蓄積部３０２は、ステップＳ４０３において読み出した識別情報を、可搬型記憶媒体１０に蓄積する。そして、ステップＳ４０１に戻る。
【００８３】
なお、識別情報蓄積部３０２は、予め識別情報格納部３０１に識別情報と対応付けて取得先情報が格納されている場合、ステップＳ４０３で識別情報と対応付けて格納されている取得先情報も読み出して、ステップＳ４０４で可搬型記憶媒体１０に識別情報と対応付けて蓄積するようにしても良い。
【００８４】
なお、図４のフローチャートにおいて、電源オフや処理終了の割り込みにより処理は終了する。
【００８５】
以下、本実施の形態における情報蓄積システム１０００の具体的な動作について説明する。情報蓄積システム１０００の概念図は図５である。ここでは一例として、情報蓄積装置１は病院Ａ内に設置され、情報サーバ装置２は、病院Ｂ内に設置され、情報蓄積装置１と情報サーバ装置２とは、インターネットを介して接続されているものとする。また、識別情報蓄積装置３は、例えば、ユーザである医師（ここでは医師Ｓとする）専用の装置であるとする。また、可搬型記憶媒体１０は、一例として、いわゆるフラッシュメモリにより構成されるメモリカードであるとする。また、ここでは一例として、情報蓄積装置１および識別情報蓄積装置３は、メモリカード１０に対して情報を読み出しおよび書き出しを行うためのインターフェースとして、メモリカードリーダライタ（図示せず）を備えているものとする。この具体例においては、病院で取得された情報を、医師がメモリカードに蓄積する場合を例に挙げて説明する。
【００８６】
まず、ユーザである医師Ｓが、医師Ｓ自身の識別情報と取得先情報とが予め格納された医師Ｓ専用のメモリカードである可搬型記憶媒体１０を、病院Ａ内に設置されている情報蓄積装置１のメモリカードリーダライタに挿入したとする。
【００８７】
図６は、医師Ｓ専用のメモリカードに格納されている識別情報と取得先情報とを示す図である。識別情報は、医師に割り当てられているＩＤであるとする。取得先情報は、ここでは、病院Ｂ内に設置されている情報サーバ装置２のＵＲＬであるとする。なお、ここでは、取得先情報が一つの情報サーバ装置２を指定する情報である場合を例に挙げているが、複数の情報サーバ装置２を指定する情報であっても良い。
【００８８】
情報蓄積装置１は、メモリカードリーダライタに挿入された可搬型記憶媒体１０をマウント、即ち認識して操作可能な状態とする。
【００８９】
識別情報読出部１０１は、可搬型記憶媒体１０の情報蓄積装置１へのマウントをトリガーとして、可搬型記憶媒体１０に識別情報が格納されているか否かを判断する。ここでは、格納されているため、識別情報読出部１０１は、可搬型記憶媒体１０に格納されている医師Ｓの識別情報「ＤＲ２００１」を読み出す。読み出した識別情報は、図示しないメモリ等の記憶媒体に一時記憶する。
【００９０】
また、取得先情報読出部１０２は、可搬型記憶媒体１０に格納されている取得先情報「ｈｔｔｐ：／／２１０．１００．ｘｘｘ．ｘｘｘ／」を読み出す。読み出した取得先情報は、図示しないメモリ等の記憶媒体に一時記憶する。
【００９１】
つぎに、情報取得部１０３は、識別情報読出部１０１が読み出した識別情報「ＤＲ２００１」に対応した情報の送信を要求する指示、例えばコマンド等を、取得先情報読出部１０２が取得した取得先情報「ｈｔｔｐ：／／２１０．１００．ｘｘｘ．ｘｘｘ／」が示す情報サーバ装置２に送信する。識別情報「ＤＲ２００１」に対応した情報を要求する指示は、ここでは、識別情報「ＤＲ２００１」を含む情報であるとする。また、送信を要求する情報には、初期設定として、送信対象の情報の分類や種類やデータタイプ等を指定するための情報として、手術中に撮影した手術の映像情報（以下、手術映像と称す）を指定する文字列の情報「手術映像」が含まれているものとする。なお、送信対象の情報を指定する情報は、例えば、送信対象の情報のファイル名に含まれる文字列や、ファイル名のルールや、送信対象の情報のファイルの拡張子等を指定する情報であっても良い。なお、この指定する情報はなくても良い。
【００９２】
また、削除部１０４は、取得先情報「ｈｔｔｐ：／／２１０．１００．ｘｘｘ．ｘｘｘ／」が示す情報サーバ装置２に、送信後の情報を削除する指示をインターネットを介して送信する。
【００９３】
情報サーバ装置２の受信部２０１は、情報蓄積装置１から送信される識別情報「ＤＲ２００１」に対応した情報の送信を要求する指示と、送信した情報を送信後に削除する指示とを受け付ける。
【００９４】
図７は、情報格納部２０２に格納されている情報（取得対象情報）を管理する取得対象情報管理表である。取得対象情報管理表は、「ファイル名」、「識別情報」、「分類」という項目を有している。取得対象情報管理表の各行がここではレコードである。「ファイル名」は情報格納部２０２に格納されている取得対象情報のファイル名である。「識別情報」は、同じレコードの「ファイル名」が示す取得対象情報に対応付けられた識別情報である。また、「分類」は、同じレコードの「ファイル名」が示す取得対象情報に対応付けられた、取得対象情報を内容によって分類した場合の分類名を示す。例えば、「分類」の値としては、取得対象情報が手術映像であることを示す「手術映像」や、取得対象情報がカルテの情報であることを示す「カルテ」や、病院内での研究発表のプレゼンテーションの映像情報であることを示す「プレゼンテーション」等がある。
【００９５】
情報読出部２０３は、受信部２０１が受信した識別情報「ＤＲ２００１」に対応した情報の送信を要求する指示に応じた情報を、情報格納部２０２から読み出す。具体的には、図７に示す取得対象情報管理表において、「識別情報」の値が情報の送信を要求する指示に含まれる識別情報である「ＤＲ２００１」に一致し、なおかつ、「分類」の値が情報の送信を要求する指示に含まれる送信対象の情報を指定する文字列の情報「手術映像」と一致する全てのレコードを検索し、検出したレコードの「ファイル名」の値を取得する。そして、取得した「ファイル名」の情報を情報格納部２０２から読み出す。図７に示した取得対象情報管理表においては、例えば、ファイル名が「ＯＰ２０１００９１８００１」であるファイルの情報と、ファイル名が「ＯＰ２０１００９１８００２」であるファイルの情報とが情報読出部２０３により読み出される。なお、ここでは、完全一致を検索したが部分一致を検索してもよい。また、正規表現を用いたいわゆるワイルドカード検索等を行っても良い。
【００９６】
そして、送信部２０４は、読み出した情報を取得対象情報の送信を要求する指示の送信元である情報蓄積装置１に対してインターネットを介して送信する。
【００９７】
また、情報読出部２０３は、受信部２０１が受信した削除指示に応じて、読み出した情報の送信後に読み出した情報を情報格納部２０２から削除し、その情報を管理する取得対象情報管理表のレコードも削除する。なお、情報読出部２０３は、情報を情報格納部２０２から読み出した直後に、読み出した情報を情報格納部２０２から削除してもよい。
【００９８】
情報取得部１０３は、情報サーバ装置２からインターネットを介して送信される取得対象情報を受信する。ここでは、ファイル名が「ＯＰ２０１００９１８００１」であるファイルの情報と、ファイル名が「ＯＰ２０１００９１８００２」であるファイルの情報とを受信する。これにより、情報取得部１０３が、受信部２０１が受信した識別情報「ＤＲ２００１」に対応した情報の送信を要求する指示に応じた取得対象情報を取得したこととなる。情報蓄積部１０５は、情報取得部１０３が取得した取得対象情報を情報蓄積装置１にマウントされた可搬型記憶媒体１０に蓄積する。即ちファイル名が「ＯＰ２０１００９１８００１」であるファイルの情報と、ファイル名が「ＯＰ２０１００９１８００２」であるファイルの情報とを可搬型記憶媒体１０に蓄積する。
【００９９】
図８は、可搬型記憶媒体１０に蓄積された取得対象情報を管理する取得情報管理表である。取得情報管理表は、「情報」および「ファイル名」という項目を有する。「情報」は、蓄積された情報であり、「ファイル名」は、蓄積された情報に対応付けられたファイル名である。
【０１００】
これにより、医師Ｓは、可搬型記憶媒体１０を情報蓄積装置１に接続することで、情報サーバ装置２に蓄積されている医師Ｓの識別情報に対応した手術映像の情報を容易かつ迅速に可搬型記憶媒体１０に取り出すことができる。
【０１０１】
ここで、識別情報蓄積装置３を用いて、識別情報が格納された可搬型記憶媒体１０を取得する処理について説明する。
【０１０２】
ここでは、可搬型記憶媒体１０には、識別情報や取得先情報が格納されていないものとする。また、識別情報蓄積装置３は、医師Ｓ専用の装置であり、識別情報格納部３０１には、医師Ｓの識別情報と、取得先情報とが対応付けて格納されているものとする。取得先情報は、例えば、医師Ｓが医療行為を行う病院等に設置されている情報サーバ装置２や、医師Ｓの医療行為に関連した情報が管理される情報サーバ装置２を示す情報、例えばＩＰアドレス等のアドレス情報である。識別情報格納部３０１に格納されている識別情報と取得先情報は、図６と同様の情報であるとする。
【０１０３】
まず、医師Ｓが、自分専用の識別情報蓄積装置３のメモリカードリーダに、識別情報や取得先情報が格納されていないメモリカードである可搬型記憶媒体１０を挿入したとする。識別情報蓄積装置３は、メモリカードリーダライタに挿入された可搬型記憶媒体１０をマウント、即ち認識して操作可能な状態とする。
【０１０４】
識別情報蓄積装置３の識別情報蓄積部３０２は、可搬型記憶媒体１０の識別情報蓄積装置３へのマウントをトリガーとして、可搬型記憶媒体１０に識別情報が格納されているか否かを判断する。ここでは、識別情報が格納されていないため、格納されていない、と判断される。
【０１０５】
このため、識別情報蓄積部３０２は、識別情報格納部３０１に格納されている医師Ｓの識別情報と取得先情報とを読み出す。そして、読み出した取得先情報を、マウントされた可搬型記憶媒体１０に蓄積する。
【０１０６】
これにより、識別情報が蓄積されていない可搬型記憶媒体１０を接続することで、容易に識別情報と取得先情報とが格納された可搬型記憶媒体１０を作成することができる。
【０１０７】
以上、本実施の形態によれば、識別情報が格納された可搬型記憶媒体１０を情報蓄積装置１に接続することで、格納された識別情報に対応する情報を容易に、かつ煩雑な操作なしに迅速に取得することができる。
【０１０８】
なお、本実施の形態においては、情報蓄積装置１の外部の情報サーバ装置２に蓄積されている情報を可搬型記憶媒体１０に蓄積する場合を例に挙げて説明したが、以下の変形例のように、情報蓄積装置１内に設けられた情報格納部１０６から、情報取得部１０３が識別情報に対応した情報を取得するようにしても良い。
【０１０９】
図９は、本実施の形態１の情報蓄積装置１の変形例を示すブロック図である。図において、図１と同一符号は同一又は相当する部分を示している。
【０１１０】
情報格納部１０６には、上述した情報格納部２０２と同様に、識別情報と対応付けられた情報が格納される。情報格納部１０６は、例えば不揮発性または揮発性の記憶媒体により実現される。
【０１１１】
このような情報蓄積装置１においては、例えば、取得先情報読出部１０２が読み出した取得先情報が指定する情報の取得先が、情報蓄積装置１内の情報格納部１０６である場合、あるいは、デフォルト等で、情報格納部１０６が指定されている場合等には、この情報格納部１０６から、情報取得部１０３は、識別情報に対応した取得対象情報を読み出すようにすればよい。また、削除部１０４は、情報格納部１０６に格納された取得済の情報を削除するようにすればよい。
【０１１２】
なお、上記具体例においては、取得先情報が一の取得先である情報サーバ装置２だけを取得先に指定する場合について説明したが、例えば、可搬型記憶媒体１０に複数の取得先を指定する取得先情報を格納しておくようにし、この取得先情報を取得先情報読出部１０２が取得し、この取得先情報が示す複数の取得先から情報取得部１０３が情報を取得するようにしても良い。
【０１１３】
また、上記具体例において図７で示した情報格納部２０２に格納される情報を管理する取得対象情報管理表において、図１０に示すような「取得フラグ」という、取得対象情報が取得済であるか否かを示す情報が格納される項目を用意し、取得済の情報のレコードの「取得フラグ」については、情報読出部２０３が読み出し時等にフラグを立てる、即ち値を初期値の「０」から「１」に変更するようにし、次に、取得対象情報を取得する際には、「取得フラグ」が立っている取得対象情報を取得しないようにしても良い。このようにすることで、一度可搬型記憶媒体１０に蓄積された取得対象情報が重複して可搬型記憶媒体１０に蓄積されることを防ぐことができる。この場合、結果的に、「取得フラグ」が立っている取得対象情報は、その後、取得の対象とならず、削除されたものと近い扱いとなるため、削除部１０４は省略可能である。また、このようなフラグは、図９に示すような変形例においても適用可能なものであることはいうまでもない。
【０１１４】
なお、上記実施の形態において説明した情報蓄積装置１と識別情報蓄積装置３とを一の装置、例えば一の情報蓄積装置で実現するようにしても良い。この場合、この情報蓄積装置が可搬型記憶媒体１０に情報を蓄積する指示を受け付けた場合に、識別情報読出部１０１が可搬型記憶媒体１０に識別情報が格納されているか否かを判断し、識別情報が格納されていないと判断した場合は、識別情報蓄積部３０２が、可搬型記憶媒体１０に識別情報を蓄積するようにし、識別情報が蓄積されている場合は上述したように情報の蓄積を行うようにすることが好ましい。この処理は、図２に示したフローチャートのステップＳ２０２において、識別情報が格納されていないと判断された場合に、図４に示したフローチャートのステップＳ４０１やステップＳ４０３等に進むようにした場合の処理に相当すると考えても良い。そして、識別情報の蓄積後は、再度、情報を蓄積する処理を行うようにしても良い。この時、可搬型記憶媒体１０に識別情報を蓄積して良いか、あるいはどの識別情報を蓄積するかを判断するために、図示しない認証部等により、認証処理を行うようにしても良い。このような場合においても、その後は、可搬型記憶媒体１０に識別情報が格納されるため、情報の可搬型記憶媒体１０への蓄積が容易になる。
【０１１５】
なお、上記各実施の形態において、各処理（各機能）は、単一の装置（システム）によって集中処理されることによって実現されてもよく、あるいは、複数の装置によって分散処理されることによって実現されてもよい。
【０１１６】
また、上記各実施の形態において、一の装置に存在する２以上の通信手段（情報送信部など）は、物理的に一の媒体で実現されても良いことは言うまでもない。
【０１１７】
また、上記実施の形態において、各構成要素が実行する処理に関係する情報、例えば、各構成要素が受け付けたり、取得したり、選択したり、生成したり、送信したり、受信したりする情報や、各構成要素が処理で用いるしきい値や数式、アドレス等の情報等は、上記説明で明記していない場合であっても、図示しない記録媒体において、一時的に、あるいは長期にわたって保持されていてもよい。また、その図示しない記録媒体への情報の蓄積を、各構成要素、あるいは、図示しない蓄積部が行ってもよい。また、その図示しない記録媒体からの情報の読み出しを、各構成要素、あるいは、図示しない読み出し部が行ってもよい。
【０１１８】
また、上記各実施の形態では、情報蓄積装置がスタンドアロンである場合について説明したが、情報蓄積装置は、スタンドアロンの装置であってもよく、サーバ・クライアントシステムにおけるサーバ装置であってもよい。後者の場合には、出力部や受付部は、通信回線を介して入力を受け付けたり、画面を出力したりすることになる。
【０１１９】
また、上記各実施の形態において、各構成要素は専用のハードウェアにより構成されてもよく、あるいは、ソフトウェアにより実現可能な構成要素については、プログラムを実行することによって実現されてもよい。例えば、ハードディスクや半導体メモリ等の記録媒体に記録されたソフトウェア・プログラムをＣＰＵ等のプログラム実行部が読み出して実行することによって、各構成要素が実現され得る。
【０１２０】
なお、上記実施の形態における情報蓄積装置を実現するソフトウェアは、以下のようなプログラムである。つまり、このプログラムは、コンピュータを、識別情報が記憶された着脱可能な記憶媒体である可搬型記憶媒体から、識別情報を読み出す識別情報読出部と、識別情報読出部が読み出した識別情報を用いて、情報の取得先から、１以上の情報を取得する情報取得部と、情報取得部が取得した情報を、可搬型記憶媒体に蓄積する情報蓄積部として機能させるためのプログラムである。
【０１２１】
また、上記実施の形態における識別情報蓄積装置を実現するソフトウェアは、以下のようなプログラムである。つまり、このプログラムは、コンピュータを、識別情報格納部に格納されている上述した識別情報を、可搬型記憶媒体に蓄積して、上述した可搬型記憶媒体を作成する識別情報蓄積部として機能させるプログラムである。
【０１２２】
また、上記プログラムにおいて、識別情報蓄積部が、可搬型記憶媒体に上述した識別情報が格納されているか否かを判断し、格納されていない場合に、上述した識別情報を可搬型記憶媒体に蓄積するプログラムである。
【０１２３】
なお、上記プログラムにおいて、上記プログラムが実現する機能には、ハードウェアでしか実現できない機能は含まれない。例えば、情報を取得する取得部や、情報を出力する出力部などにおけるモデムやインターフェースカードなどのハードウェアでしか実現できない機能は、上記プログラムが実現する機能には含まれない。
【０１２４】
なお、上記情報蓄積装置１を実現するプログラムまたは識別情報蓄積装置３を実現するプログラムの少なくともいずれか一方を、可搬型記憶媒体１０に予め格納しておくようにしても良い。そして、可搬型記憶媒体１０が、これらのプログラムを実行するコンピュータ等に接続された場合、もしくは接続され、プログラムを実行する指示をユーザ等から受け付けた場合に、これらのプログラムを実行するようにしても良い。
【０１２５】
さらに、上記情報蓄積装置１を実現するプログラムまたは識別情報蓄積装置３を実現するプログラムの両方が可搬型記憶媒体１０に予め格納されている場合においては、情報蓄積装置１を実現するプログラムが実行された場合に、可搬型記憶媒体１０に識別情報が格納されているか否かを判断し、格納されている場合に、上述したように、情報を可搬型記憶媒体１０に蓄積する処理を行うようにし、格納されていない場合に、識別情報蓄積装置３を実現するプログラムが、識別情報を可搬型記憶媒体１０に蓄積する処理を行うようにしても良い。この場合、識別情報蓄積装置３を実現するプログラムは、識別情報が可搬型記憶媒体１０に格納されていないことが検出されたことをトリガーとして起動するようにしても良い。
【０１２６】
また、上記情報蓄積装置１と識別情報蓄積装置３とを組み合わせた装置を実現するプログラムを、可搬型記憶媒体１０に格納しておくようにしても良い。
【０１２７】
また、このプログラムを実行するコンピュータは、単数であってもよく、複数であってもよい。すなわち、集中処理を行ってもよく、あるいは分散処理を行ってもよい。
【０１２８】
図１１は、上記プログラムを実行して、上記実施の形態による情報蓄積装置を実現するコンピュータの外観の一例を示す模式図である。上記実施の形態は、コンピュータハードウェア及びその上で実行されるコンピュータプログラムによって実現されうる。
【０１２９】
図１１において、コンピュータシステム９００は、ＣＤ−ＲＯＭ（Ｃｏｍｐａｃｔ  Ｄｉｓｋ  Ｒｅａｄ  Ｏｎｌｙ  Ｍｅｍｏｒｙ）ドライブ９０５、ＦＤ（Ｆｌｏｐｐｙ（登録商標）  Ｄｉｓｋ）ドライブ９０６を含むコンピュータ９０１と、キーボード９０２と、マウス９０３と、モニタ９０４とを備える。
【０１３０】
図１２は、コンピュータシステム９００の内部構成を示す図である。図１２において、コンピュータ９０１は、ＣＤ−ＲＯＭドライブ９０５、ＦＤドライブ９０６に加えて、ＭＰＵ（Ｍｉｃｒｏ  Ｐｒｏｃｅｓｓｉｎｇ  Ｕｎｉｔ）９１１と、ブートアッププログラム等のプログラムを記憶するためのＲＯＭ９１２と、ＭＰＵ９１１に接続され、アプリケーションプログラムの命令を一時的に記憶すると共に、一時記憶空間を提供するＲＡＭ（Ｒａｎｄｏｍ  Ａｃｃｅｓｓ  Ｍｅｍｏｒｙ）９１３と、アプリケーションプログラム、システムプログラム、及びデータを記憶するハードディスク９１４と、ＭＰＵ９１１、ＲＯＭ９１２等を相互に接続するバス９１５とを備える。なお、コンピュータ９０１は、ＬＡＮへの接続を提供する図示しないネットワークカードを含んでいてもよい。
【０１３１】
コンピュータシステム９００に、上記実施の形態による情報蓄積装置等の機能を実行させるプログラムは、ＣＤ−ＲＯＭ９２１、またはＦＤ９２２に記憶されて、ＣＤ−ＲＯＭドライブ９０５、またはＦＤドライブ９０６に挿入され、ハードディスク９１４に転送されてもよい。これに代えて、そのプログラムは、図示しないネットワークを介してコンピュータ９０１に送信され、ハードディスク９１４に記憶されてもよい。プログラムは実行の際にＲＡＭ９１３にロードされる。なお、プログラムは、ＣＤ−ＲＯＭ９２１やＦＤ９２２、またはネットワークから直接、ロードされてもよい。
【０１３２】
プログラムは、コンピュータ９０１に、上記実施の形態による情報蓄積装置の機能を実行させるオペレーティングシステム（ＯＳ）、またはサードパーティプログラム等を必ずしも含んでいなくてもよい。プログラムは、制御された態様で適切な機能（モジュール）を呼び出し、所望の結果が得られるようにする命令の部分のみを含んでいてもよい。コンピュータシステム９００がどのように動作するのかについては周知であり、詳細な説明は省略する。
本発明は、以上の実施の形態に限定されることなく、種々の変更が可能であり、それらも本発明の範囲内に包含されるものであることは言うまでもない。
【産業上の利用可能性】
【０１３３】
以上のように、本発明にかかる情報蓄積装置等は、可搬型記憶媒体に情報を蓄積する装置等として適しており、特に、可搬型記憶媒体に情報を蓄積する装置等として有用である。
【符号の説明】
【０１３４】
１  情報蓄積装置
２  情報サーバ装置
３  識別情報蓄積装置
１０  可搬型記憶媒体
１０１  識別情報読出部
１０２  取得先情報読出部
１０３  情報取得部
１０４  削除部
１０５  情報蓄積部
１０６、２０２  情報格納部
２０１  受信部
２０３  情報読出部
２０４  送信部
３０１  識別情報格納部
３０２  識別情報蓄積部
１０００  情報蓄積システム
【図１】
2011170537.tif 000003
【図２】
2011170537.tif 000004
【図３】
2011170537.tif 000005
【図４】
2011170537.tif 000006
【図５】
2011170537.tif 000007
【図６】
2011170537.tif 000008
【図７】
2011170537.tif 000009
【図８】
2011170537.tif 000010
【図９】
2011170537.tif 000011
【図１０】
2011170537.tif 000012
【図１１】
2011170537.tif 000013
【図１２】
2011170537.tif 000014